(57)【要約】      （修正有）【課題】効果的かつ確実に組み立てることができ、振動によって照明カバーがソケットから脱落することを防止できる照明器具を提供する。【解決手段】照明器具１は、長尺構造をなすソケット１１と、長尺構造をなす照明カバー１２とを含み、ソケット１１は、基板１１１、２つの接続プレート１１２及び２つの第１係止構造１１３を含み、接続プレート１１２は基板１１１における対向する両側に接続されており、且つ、接続プレート１１２と基板１１１は異なる平面に位置しており、接続プレート１１２は基板１１１の中心線に対し鏡面対称であり、第１係止構造１１３はそれぞれ接続プレート１１２の外側に接続されている。照明カバー１２は、ソケット１１に組み付けられ、天井プレート１２１及び２つの第２係止構造１２２を含み、第２係止構造１２２はそれぞれ天井プレート１２１における対向する両側に接続されており、且つ、第２係止構造１２２は第１係止構造１１３に対応して接合及び係止される。【選択図】図２
0003218926.tif 000002
【実用新案登録請求の範囲】
【請求項１】
長尺構造をなすソケットであって、基板、２つの接続プレート及び２つの第１係止構造を含み、前記接続プレートは前記基板における対向する両側に接続されており、且つ、前記接続プレートと前記基板は異なる平面に位置しており、前記接続プレートは前記基板の中心線に対し鏡面対称であり、前記第１係止構造はそれぞれ前記接続プレートの外側に接続されているソケットと、
長尺構造をなす照明カバーであって、前記ソケットに組み付けられ、天井プレート及び２つの第２係止構造を含み、前記第２係止構造はそれぞれ前記天井プレートにおける対向する両側に接続されており、且つ、前記第２係止構造は前記第１係止構造に対応して接合及び係止される照明カバーと、を含むことを特徴とする係止構造を備えた照明器具。
【請求項２】
前記第１係止構造は凹溝であり、前記凹溝は２つの端部開口及び開口を備え、前記開口は前記端部開口の間に介在しており、前記開口は外側を向いており、前記第２係止構造は凸部材であり、前記凸部材は前記端部開口から前記凹溝内に係接することを特徴とする請求項１に記載の係止構造を備えた照明器具。
【請求項３】
前記凹溝の断面はＴ型の空間を有し、
前記凸部材の断面は対応するＴ字状であることを特徴とする請求項２に記載の係止構造を備えた照明器具。
【請求項４】
前記第１係止構造は、前記凹溝の下方に接続されて、下降しつつ前記基板に向けて突出する段差構造を更に含むことを特徴とする請求項２に記載の係止構造を備えた照明器具。
【請求項５】
前記第１係止構造は凸部材であり、前記第２係止構造は前記凸部材に対応する凹溝であり、前記凹溝は２つの端部開口及び開口を備え、前記開口は前記端部開口の間に介在しており、前記開口は内側を向いており、前記凸部材は前記端部開口から前記凹溝内に係接することを特徴とする請求項１に記載の係止構造を備えた照明器具。
【請求項６】
前記凸部材は球体であり、前記凹溝の底面は凹状円弧面であることを特徴とする請求項５に記載の係止構造を備えた照明器具。
【請求項７】
前記ソケットは、外側を向いて前記接続プレートと前記基板との接続箇所に形成される２つの幅狭長尺状の凹体を更に含むことを特徴とする請求項５に記載の係止構造を備えた照明器具。
【請求項８】
前記２つの幅狭長尺状の凹体は延伸部を含み、当該延伸部は前記幅狭長尺状の凹体の側壁に接続されていることを特徴とする請求項７に記載の係止構造を備えた照明器具。
【請求項９】
前記第１係止構造は凹溝であり、前記凹溝は２つの端部開口及び開口を備え、前記開口は前記端部開口の間に介在しており、前記開口は上方を向いており、前記第２係止構造は凸部材であり、前記凸部材は前記端部開口から前記凹溝内に係接し、前記凸部材は段差構造であり、前記凹溝は前記段差構造に対応する空間を含むことを特徴とする請求項１に記載の係止構造を備えた照明器具。
【請求項１０】
前記照明カバーは円形キャップ状をなしており、前記天井プレートは前記基板とは反対方向に突出していることを特徴とする請求項１に記載の係止構造を備えた照明器具。
【考案の詳細な説明】
【技術分野】
【０００１】
本考案は、照明器具に関し、特に係止構造を備えた照明器具に関する。
【背景技術】
【０００２】
日常生活における照明器具は、必要不可欠な製品である。従来技術では、照明器具を構成する各部品は、ネジ又は他の鉤止めによって組み立てられて固定されているが、このような組み立ては不便で時間がかかるし、設計構造も労働集約型である。
さらに、上記問題は、照明器具の各部品自体を嵌め込む設計にしたり、クランプ構造にしたりして解決することも考えられるが、それでも依然として水平方向又は垂直方向に振動する危険がある。したがって、組み立てが簡単で安全性が高い照明器具の構造設計にすることは当業者にとってすぐにでも解決すべき課題となっている。
【０００３】
従来の照明器具の固定構造を開示する文献として下記の特許文献１がある。特許文献１に開示の照明器具の固定構造は、長手方向両端に設けられた固定用ステイに形成された切欠き溝に挿通する締結具によって照明器具を固定する固定構造であって、前記固定用ステイに、互いに直交する向きに開口する切欠き溝をそれぞれ形成したことを特徴とする。
【先行技術文献】
【特許文献】
【０００４】
【特許文献１】特開２０１４−１３７９８６号公報
【考案の概要】
【考案が解決しようとする課題】
【０００５】
しかしながら、従来の照明器具の固定構造は必ずしも取り付けが容易とは言えなかった。
【課題を解決するための手段】
【０００６】
そこで、上記問題を解決するために、本考案は、ソケットと照明カバーとを含み、係止構造を有する照明器具を提供する。ソケットは、長尺構造であって、基板、２つの接続プレート及び２つの第１係止構造を含み、前記接続プレートは前記基板における対向する両側に接続されており、且つ、前記接続プレートと前記基板は異なる平面に位置しており、前記接続プレートは前記基板の中心線に対し鏡面対称であり、前記第１係止構造はそれぞれ前記接続プレートの外側に接続されている。照明カバーは、長尺構造であって、天井プレート及び２つの第２係止構造を含み、前記ソケットに組み付けられ、前記第２係止構造はそれぞれ前記天井プレートにおける対向する両側に接続されており、且つ、前記第２係止構造は前記第１係止構造に対応して接合及び係止される。
【０００７】
上記係止構造を有する照明器具の好ましい実施形態において、前記第１係止構造は凹溝であり、前記凹溝は２つの端部開口及び開口を備え、前記開口は前記端部開口の間に介在しており、前記開口は外側を向いており、前記第２係止構造は凸部材であり、前記凸部材は前記端部開口から前記凹溝内に係接している。
【０００８】
上記係止構造を有する照明器具の好ましい実施形態において、前記凹溝の断面はＴ型の空間を有し、前記凸部材の断面は対応するＴ字状である。
【０００９】
上記係止構造を有する照明器具の好ましい実施形態において、前記第１係止構造は、前記凹溝の下方に接続されて、下降しつつ前記基板に向けて突出する段差構造を更に含む。
【００１０】
上記係止構造を有する照明器具の好ましい実施形態において、前記第１係止構造は凸部材であり、前記第２係止構造は前記凸部材に対応する凹溝であり、前記凹溝は２つの端部開口及び開口を備え、前記開口は前記端部開口の間に介在しており、前記開口は内側を向いており、前記凸部材は前記端部開口から前記凹溝内に係接している。
【００１１】
上記係止構造を有する照明器具の好ましい実施形態において、前記凸部材は球体であり、前記凹溝の底面は凹状円弧面である。
【００１２】
上記係止構造を有する照明器具の好ましい実施形態において、前記ソケットは、外側を向いて前記接続プレートと前記基板との接続箇所に形成される２つの幅狭長尺状の凹体を更に含む。
【００１３】
上記係止構造を有する照明器具の好ましい実施形態において、前記２つの幅狭長尺状の凹体は延伸部を含み、当該延伸部は前記幅狭長尺状の凹体の側壁に接続されている。
【００１４】
上記係止構造を有する照明器具の好ましい実施形態において、前記第１係止構造は凹溝であり、前記凹溝は２つの端部開口及び開口を備え、前記開口は前記端部開口の間に介在しており、前記開口は上方を向いており、前記第２係止構造は凸部材であり、前記凸部材は前記端部開口から前記凹溝内に係接し、前記凸部材は段差構造であり、前記凹溝は前記段差構造に対応する空間を含む。
【００１５】
上記係止構造を有する照明器具の好ましい実施形態において、前記照明カバーは円形キャップ状をなしており、前記天井プレートは前記基板とは反対方向に突出している。
【考案の効果】
【００１６】
本考案の係止構造を有する照明器具によれば、ソケットの第１係止構造と照明カバーの第２係止構造とを組み合わせることによって照明器具全体を効果的かつ確実に組み立てることができるし、「水平」及び「垂直」のいずれの方向にも対応して組み付けられているので、振動によって照明カバーがソケットから脱落することを防止することができ、これによりしっかりと固着する効果を得ることができる。
【図面の簡単な説明】
【００１７】
【図１】本考案の第１実施形態の係止構造を有する照明器具の分解斜視図である。
【図２】本考案の第１実施形態の係止構造を有する照明器具の側面視断面図である。
【図３】本考案の第２実施形態の係止構造を有する照明器具の分解斜視図である。
【図４】本考案の第２実施形態の係止構造を有する照明器具の側面視断面図である。
【図５】本考案の第３実施形態の係止構造を有する照明器具の分解斜視図である。
【図６】本考案の第３実施形態の係止構造を有する照明器具の側面視断面図である。
【考案を実施するための形態】
【００１８】
本明細書に開示された内容並びに実用新案登録請求の範囲及び図面を考慮することによって、この分野における通常の知識を有する者であれば、この考案に関連する目的及び利点を容易に理解することができる。
【００１９】
以下の詳細な説明では、本考案の目的及び効果並びに技術的解決策の技術内容及び構造的特徴が特定の実施形態及び添付図面を参照して説明される。
【００２０】
図１及び図２はそれぞれ、本考案の第１実施形態の係止構造を備えた照明器具１の分解斜視図及び側面視断面図である。
【００２１】
本考案の照明器具１は、ソケット１１と照明カバー１２とを備えている。ソケット１１は、長尺構造をなしており、基板１１１、２つの接続プレート１１２及び２つの第１係止構造１１３を含み、接続プレート１１２は基板１１１における対向する両側に接続されており、且つ、接続プレート１１２と基板１１１は異なる平面に位置しており、接続プレート１１２は基板１１１の中心線に対し鏡面対称であり、第１係止構造１１３はそれぞれ接続プレート１１２の外側に接続されている。照明カバー１２は、長尺構造をなしており、ソケット１１に組み付けられ、天井プレート１２１及び２つの第２係止構造１２２を含み、第２係止構造１２２はそれぞれ天井プレート１２１における対向する両側に接続されており、且つ、第２係止構造１２２は第１係止構造１１３に対応して接合及び係止される。別の実施形態として、ソケット１１及び照明カバー１２は、アルミニウム部材の鍛造又は圧延によって作製されていてもよい。
【００２２】
図１及び図２に示すように、第１係止構造１１３は凹溝１１４であり、凹溝１１４は２つの端部開口１１４１及び開口１１４２を備え、開口１１４２は端部開口１１４１の間に介在しており、開口１１４２は外側を向いており、第２係止構造１２２は凸部材１１５であり、凸部材１１５は端部開口１１４１から凹溝１１４内に係接する。また、凹溝１１４
の断面はＴ型の空間を有し、凸部材１１５の断面は対応するＴ字形状を有する。また第１係止構造１１３は、凹溝１１４の下方に接続されて、下降しつつ基板１１１に向けて突出する段差構造１１３１を更に含む。
【００２３】
図３及び図４はそれぞれ、本考案の第２実施形態の係止構造を備えた照明器具１の分解斜視図及び側面視断面図である。
【００２４】
本実施形態では、第１係止構造１１３は凸部材１１５であり、第２係止構造１２２は凸部材１１５に対応する凹溝１１４であり、凹溝１１４は２つの端部開口１１４１及び開口１１４２を備え、開口１１４２は端部開口１１４１の間に介在しており、開口１１４２は内側を向いており、凸部材１１５は端部開口１１４１から凹溝１１４内に係接する。本実施形態における凸部材１１５は球体１１６であり、凹溝１１４の底面は凹状円弧面である。
【００２５】
本実施形態において、ソケット１１は、外側を向いて接続プレート１１２と基板１１１との接続箇所に形成される２つの幅狭長尺状の凹体１１７を更に含む。
【００２６】
２つの幅狭長尺状の凹体１１７は、幅狭長尺状の凹体１１７の側壁に接続されている延伸部１１７１を含む。この実施形態では、延伸部１１７１は楔形状である。
【００２７】
図５及び図６はそれぞれ、本考案の第３実施形態の係止構造を備えた照明器具１の分解斜視図及び側面視断面図である。
【００２８】
本実施形態では、第１実施形態とは異なり、第１係止構造１１３は凹溝１１４であり、凹溝１１４の開口１１４２は上方を向いており、第２係止構造１２２は凸部材１１５であり、凸部材１１５は段差構造１１８であり、凹溝１１４は段差構造１１８に対応する空間を含む。
【００２９】
上記第１〜第３実施形態においては、照明カバー１２は円形キャップ状をなしており、天井プレート１２１は基板１１１とは反対方向に突出しているが、これに限定されるものではない。言い換えると、本考案は、照明カバー１２の形状を限定するものではなく、照明カバー１２はアーチ形状であってもよい。
【００３０】
要するに、本考案の係止構造によれば、ソケットの第１係止構造と照明カバーの第２係止構造とを組み合わせることによって照明器具全体を効果的かつ確実に組み立てることができるし、「水平」及び「垂直」のいずれの方向にも対応して組み付けられているので、振動によって照明カバーがソケットから脱落することを防止することができ、これによりしっかりと固定する効果を得ることができる。
【００３１】
本明細書は上述の実施形態の全てを記載しているが、本考案の請求の範囲はこれに限られないことに留意すべきである。すなわち、上述の技術は、本明細書に記載された実施形態、又は本明細書の内容及び図面を用いて行われる等価の構造又は同等の設計変更によって直接又は間接的に修正又は改変がなされてもよい。本考案の解決方法は、他の関連する技術分野においても転用可能であるが、その場合にも本考案の請求の範囲に含まれるものと解釈される。
【符号の説明】
【００３２】
１    照明器具
１１    ソケット
１１１    基板
１１２    接続プレート
１１３    第１係止構造
１１３１    段差構造
１１４    凹溝
１１４１    端部開口
１１４２    開口
１１５    凸部材
１１６    球体
１１７    凹体
１１７１    延伸部
１１８    段差構造
１２    照明カバー
１２１    天井プレート
１２２    第２係止構造
【図１】
0003218926.tif 000003
【図２】
0003218926.tif 000004
【図３】
0003218926.tif 000005
【図４】
0003218926.tif 000006
【図５】
0003218926.tif 000007
【図６】
0003218926.tif 000008